【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
インスタントコミュニケーション方法であって、
第１のユーザによって第１のユーザ端末から送信されたテキストデータを受信し、
前記テキストデータを第１のスピーチデータに変換し、
前記第１のスピーチデータを、事前設定された電話番号に関連付けられた第２のユーザ端末に送信し、
前記第１のスピーチデータに応答して前記第２のユーザ端末から送信された第２のスピーチデータを受信し、
前記第２のスピーチデータを前記第１のユーザ端末に送信すること、
を備える方法。
【請求項２】
請求項１に記載の方法であって、
前記テキストデータは、前記第１のユーザによって前記第１の端末において入力されたインスタントメッセージである、方法。
【請求項３】
請求項１に記載の方法であって、
前記テキストデータは、テキスト・スピーチ変換を実行するように構成されたスピーチサーバに送信される、方法。
【請求項４】
請求項１に記載の方法は更に、
前記第１のユーザ端末上で前記第２のスピーチデータを再生することを備える方法。
【請求項５】
請求項１に記載の方法であって、
前記事前設定された電話番号は、前記テキストデータを前記第１のスピーチデータに変換するように構成されたスピーチサーバ上で設定される、方法。
【請求項６】
請求項１に記載の方法であって、
前記第１のスピーチデータを、事前設定された電話番号に関連付けられた前記第２のユーザ端末に送信することは、前記第１のスピーチデータをテレコミュニケーションサーバに送信することを含む、方法。
【請求項７】
請求項１に記載の方法であって、
前記事前設定された電話番号は、複数の事前設定された電話番号のなかから選択される、方法。
【請求項８】
請求項７に記載の方法であって、
前記複数の事前設定された電話番号は、複数の地域に対応している、方法。
【請求項９】
請求項８に記載の方法は更に、
前記複数の事前設定された電話番号のなかから前記事前設定された電話番号を選択することを備え、前記複数の事前設定された電話番号のなかから前記事前設定された電話番号を選択することは、
前記第１のユーザ端末に関連付けられたインターネットプロトコル（ＩＰ）アドレスを決定し、
前記ＩＰアドレスに関連付けられた地域を決定し、
前記ＩＰアドレスに関連付けられた前記領域と、前記事前設定された電話番号に関連付けられた前記複数の地域とに基づいて、前記複数の事前設定された電話番号のなかから前記事前設定電話番号を選択すること、
を含む、方法。
【請求項１０】
請求項７に記載の方法であって、
前記複数の事前設定された電話番号は、複数の時間帯に対応している、方法。
【請求項１１】
請求項１０に記載の方法は更に、
前記複数の事前設定された電話番号の中から前記事前設定された電話番号を選択することを備え、前記複数の事前設定された電話番号のなかから前記事前設定された電話番号を選択することは、
前記テキストデータの受信に関連付けられた時刻を決定し、
前記テキストデータの受信に関連付けられた前記時刻と、前記複数の時間帯とに基づいて、前記複数の事前設定された電話番号の中から前記事前設定された電話番号を選択すること、
を含む、方法。
【請求項１２】
インスタントコミュニケーションシステムであって、
１つ又は複数のプロセッサであって、
第１のユーザによって第１のユーザ端末から送信されたテキストデータを受信し、
前記テキストデータを第１のスピーチデータに変換し、
前記第１のスピーチデータを、事前設定された電話番号に関連付けられた第２のユーザ端末に送信し、
前記第１のスピーチデータに応答して前記第２のユーザ端末から送信された第２のスピーチデータを受信し、
前記第２のスピーチデータを前記第１のユーザ端末に送信する、
ように構成された１つ又は複数のプロセッサと、
前記１つ又は複数のプロセッサに接続され、前記１つ又は複数のプロセッサに命令を提供するように構成された１つ又は複数のメモリと、
を備えるシステム。
【請求項１３】
請求項１２に記載のシステムであって、
前記テキストデータは、前記第１のユーザによって前記第１の端末において入力されたインスタントメッセージである、システム。
【請求項１４】
請求項１２に記載のシステムであって、
前記テキストデータは、テキスト・スピーチ変換を実行するように構成されたスピーチサーバに送信される、システム。
【請求項１５】
請求項１２に記載のシステムであって、
前記１つ又は複数のプロセッサは、更に、前記第１のユーザ端末上で前記第２のスピーチデータを再生するように構成される、システム。
【請求項１６】
請求項１２に記載のシステムであって、
前記事前設定された電話番号は、前記テキストデータを前記第１のスピーチデータに変換するように構成されたスピーチサーバ上で設定される、システム。
【請求項１７】
請求項１２に記載のシステムであって、
前記１つ又は複数のプロセッサは、更に、前記第１のスピーチデータをテレコミュニケーションサーバに送信することによって、前記第１のスピーチデータを、事前設定された電話番号に関連付けられた前記第２のユーザ端末に送信するように構成される、システム。
【請求項１８】
請求項１２に記載のシステムであって、
前記事前設定された電話番号は、複数の事前設定された電話番号の中から選択される、システム。
【請求項１９】
請求項１８に記載のシステムであって、
前記複数の事前設定された電話番号は、複数の地域に対応している、システム。
【請求項２０】
請求項１９に記載のシステムであって、
前記１つ又は複数のプロセッサは、更に、前記複数の事前設定された電話番号の中から前記事前設定された電話番号を選択するよう構成され、前記複数の事前設定された電話番号の中からの前記事前設定された電話番号の選択は、
前記第１のユーザ端末に関連付けられたインターネットプロトコル（ＩＰ）アドレスを決定し、
前記第１のユーザ端末に関連付けられた場所を決定し、
前記ＩＰアドレスに関連付けられた前記領域と、前記事前設定された電話番号に関連付けられた前記複数の地域とに基づいて、前記複数の事前設定された電話番号の中から前記事前設定電話番号を選択することにより実行される、システム。
【請求項２１】
請求項１８に記載のシステムであって、
前記複数の事前設定された電話番号は、複数の時間帯に対応している、システム。
【請求項２２】
請求項２１に記載のシステムであって、更に、
前記１つ又は複数のプロセッサは、更に、前記複数の事前設定された電話番号の中から前記事前設定された電話番号を選択するよう構成され、前記複数の事前設定された電話番号の中からの前記事前設定された電話番号の選択は、
前記テキストデータの受信に関連付けられた時刻を決定し、
前記テキストデータの受信に関連付けられた前記時刻と、前記複数の時間帯とに基づいて、前記複数の事前設定された電話番号の中から前記事前設定された電話番号を選択することにより実行される、システム。
【請求項２３】
相対関係を決定するためのコンピュータプログラムであって、
第１のユーザによって第１のユーザ端末から送信されたテキストデータを受信するための機能と、
前記テキストデータを第１のスピーチデータに変換するための機能と、
前記第１のスピーチデータを、事前設定された電話番号に関連付けられた第２のユーザ端末に送信するための機能と、
前記第１のスピーチデータに応答して前記第２のユーザ端末から送信された第２のスピーチデータを受信するための機能と、
前記第２のスピーチデータを前記第１のユーザ端末に送信するための機能と、
をコンピュータによって実現させる、コンピュータプログラム。
【手続補正２】
【補正対象書類名】明細書
【補正対象項目名】００５１
【補正方法】変更
【補正の内容】
【００５１】
以上の実施形態は、理解を明瞭にする目的で幾らか詳細に説明されてきたが、発明は、提供された詳細に限定されない。発明を実現するには、多くの代替的方法がある。開示された実施形態は、例示的であり、限定的ではない。
適用例１：インスタントコミュニケーション方法であって、第１のユーザによって第１のユーザ端末から送信されたテキストデータを受信し、前記テキストデータを第１のスピーチデータに変換し、前記第１のスピーチデータを、事前設定された電話番号に関連付けられた第２のユーザ端末に送信し、前記第１のスピーチデータに応答して前記第２のユーザ端末から送信された第２のスピーチデータを受信し、前記第２のスピーチデータを前記第１のユーザ端末に送信すること、を備える方法。
適用例２：適用例１に記載の方法であって、前記テキストデータは、前記第１のユーザによって前記第１の端末において入力されたインスタントメッセージである、方法。
適用例３：適用例１または２に記載の方法であって、前記テキストデータは、テキスト・スピーチ変換を実行するように構成されたスピーチサーバに送信される、方法。
適用例４：適用例１〜３のいずれかに記載の方法は更に、前記第１のユーザ端末上で前記第２のスピーチデータを再生することを備える方法。
適用例５：適用例１〜４のいずれかに記載の方法であって、前記事前設定された電話番号は、前記テキストデータを前記第１のスピーチデータに変換するように構成されたスピーチサーバ上で設定される、方法。
適用例６：適用例１〜５のいずれかに記載の方法であって、前記第１のスピーチデータを、事前設定された電話番号に関連付けられた前記第２のユーザ端末に送信することは、前記第１のスピーチデータをテレコミュニケーションサーバに送信することを含む、方法。
適用例７：適用例１〜６のいずれかに記載の方法であって、前記事前設定された電話番号は、複数の事前設定された電話番号のなかから選択される、方法。
適用例８：適用例７に記載の方法であって、前記複数の事前設定された電話番号は、複数の地域に対応している、方法。
適用例９：適用例８に記載の方法は更に、前記複数の事前設定された電話番号のなかから前記事前設定された電話番号を選択することを備え、前記複数の事前設定された電話番号のなかから前記事前設定された電話番号を選択することは、前記第１のユーザ端末に関連付けられたインターネットプロトコル（ＩＰ）アドレスを決定し、前記ＩＰアドレスに関連付けられた地域を決定し、前記ＩＰアドレスに関連付けられた前記領域と、前記事前設定された電話番号に関連付けられた前記複数の地域とに基づいて、前記複数の事前設定された電話番号のなかから前記事前設定電話番号を選択すること、を含む、方法。
適用例１０：適用例７に記載の方法であって、前記複数の事前設定された電話番号は、複数の時間帯に対応している、方法。
適用例１１：適用例１０に記載の方法は更に、前記複数の事前設定された電話番号の中から前記事前設定された電話番号を選択することを備え、前記複数の事前設定された電話番号のなかから前記事前設定された電話番号を選択することは、前記テキストデータの受信に関連付けられた時刻を決定し、前記テキストデータの受信に関連付けられた前記時刻と、前記複数の時間帯とに基づいて、前記複数の事前設定された電話番号の中から前記事前設定された電話番号を選択すること、を含む、方法。
適用例１２：インスタントコミュニケーションシステムであって、１つ又は複数のプロセッサであって、第１のユーザによって第１のユーザ端末から送信されたテキストデータを受信し、前記テキストデータを第１のスピーチデータに変換し、前記第１のスピーチデータを、事前設定された電話番号に関連付けられた第２のユーザ端末に送信し、前記第１のスピーチデータに応答して前記第２のユーザ端末から送信された第２のスピーチデータを受信し、前記第２のスピーチデータを前記第１のユーザ端末に送信する、ように構成された１つ又は複数のプロセッサと、
前記１つ又は複数のプロセッサに接続され、前記１つ又は複数のプロセッサに命令を提供するように構成された１つ又は複数のメモリと、を備えるシステム。
適用例１３：適用例１２に記載のシステムであって、前記テキストデータは、前記第１のユーザによって前記第１の端末において入力されたインスタントメッセージである、システム。
適用例１４：適用例１２または１３に記載のシステムであって、前記テキストデータは、テキスト・スピーチ変換を実行するように構成されたスピーチサーバに送信される、システム。
適用例１５：適用例１２〜１４のいずれかに記載のシステムであって、前記１つ又は複数のプロセッサは、更に、前記第１のユーザ端末上で前記第２のスピーチデータを再生するように構成される、システム。
適用例１６：適用例１２〜１５のいずれかに記載のシステムであって、前記事前設定された電話番号は、前記テキストデータを前記第１のスピーチデータに変換するように構成されたスピーチサーバ上で設定される、システム。
適用例１７：適用例１２〜１６のいずれかに記載のシステムであって、前記１つ又は複数のプロセッサは、更に、前記第１のスピーチデータをテレコミュニケーションサーバに送信することによって、前記第１のスピーチデータを、事前設定された電話番号に関連付けられた前記第２のユーザ端末に送信するように構成される、システム。
適用例１８：適用例１２〜１７のいずれかに記載のシステムであって、前記事前設定された電話番号は、複数の事前設定された電話番号の中から選択される、システム。
適用例１９：適用例１８に記載のシステムであって、前記複数の事前設定された電話番号は、複数の地域に対応している、システム。
適用例２０：適用例１９に記載のシステムであって、前記１つ又は複数のプロセッサは、更に、前記複数の事前設定された電話番号の中から前記事前設定された電話番号を選択するよう構成され、前記複数の事前設定された電話番号の中からの前記事前設定された電話番号の選択は、前記第１のユーザ端末に関連付けられたインターネットプロトコル（ＩＰ）アドレスを決定し、前記第１のユーザ端末に関連付けられた場所を決定し、前記ＩＰアドレスに関連付けられた前記領域と、前記事前設定された電話番号に関連付けられた前記複数の地域とに基づいて、前記複数の事前設定された電話番号の中から前記事前設定電話番号を選択することにより実行される、システム。
適用例２１：適用例１８に記載のシステムであって、前記複数の事前設定された電話番号は、複数の時間帯に対応している、システム。
適用例２２：適用例２１に記載のシステムであって、更に、前記１つ又は複数のプロセッサは、更に、前記複数の事前設定された電話番号の中から前記事前設定された電話番号を選択するよう構成され、前記複数の事前設定された電話番号の中からの前記事前設定された電話番号の選択は、前記テキストデータの受信に関連付けられた時刻を決定し、前記テキストデータの受信に関連付けられた前記時刻と、前記複数の時間帯とに基づいて、前記複数の事前設定された電話番号の中から前記事前設定された電話番号を選択することにより実行される、システム。
適用例２３：相対関係を決定するためのコンピュータプログラムであって、第１のユーザによって第１のユーザ端末から送信されたテキストデータを受信するための機能と、前記テキストデータを第１のスピーチデータに変換するための機能と、前記第１のスピーチデータを、事前設定された電話番号に関連付けられた第２のユーザ端末に送信するための機能と、前記第１のスピーチデータに応答して前記第２のユーザ端末から送信された第２のスピーチデータを受信するための機能と、前記第２のスピーチデータを前記第１のユーザ端末に送信するための機能と、をコンピュータによって実現させる、コンピュータプログラム。